(57)【要約】【課題】電子機器の内部におけるコネクタ本体の搭載位置と電子機器の筐体に形成された開口の位置とが予め定められた正規の位置関係からずれていたとしても、カードトレイに設けられた摘み部が当該開口に引っかかることなく、カードトレイをコネクタ本体に円滑に挿入することができるカードコネクタを提供する。【解決手段】カードコネクタ１におけるカードトレイ１０は、カードＣ１，Ｃ２，Ｃ３が載置され、カードトレイ１０の挿入方向を表す前方向及びカードトレイ１０の引き出し方向を表す後方向、かつ前方向及び後方向に直交する左方向及び右方向に延びるトレイ本体１１と、トレイ本体１１の後端に取り付けられ、トレイ本体１１の左方向及び右方向に延びる摘み部１５とを備える。摘み部１５の左右両側には、摘み部１５をコネクタ本体３０が搭載される電子機器の筐体１００に形成された開口１０１に沿って案内するテーパ状のガイド部１９が設けられる。【選択図】図１
2017199467.tif 000002
【特許請求の範囲】
【請求項１】
カードが載置されるカードトレイと、該カードトレイが挿入及び引き出されるハウジング及び該ハウジングに取り付けられたコンタクトを有するコネクタ本体とを備え、
前記カードトレイは、前記カードが載置され、前記カードトレイの挿入方向を表す前方向及び前記カードトレイの引き出し方向を表す後方向、かつ前記前方向及び後方向に直交する左方向及び右方向に延びるトレイ本体と、該トレイ本体の後端に取り付けられ、前記トレイ本体の左方向及び右方向に延びる摘み部とを備え、
前記摘み部の左右両側に、前記摘み部を前記コネクタ本体が搭載される電子機器の筐体に形成された開口に沿って案内するテーパ状のガイド部を設けたことを特徴とするカードコネクタ。
【請求項２】
前記摘み部は、前記トレイ本体に対して左方向及び右方向に移動可能であることを特徴とする請求項１に記載のカードコネクタ。
【発明の詳細な説明】
【技術分野】
【０００１】
本発明は、カードが載置されるカードトレイを有するカードコネクタに関する。
【背景技術】
【０００２】
一般に、ナノＳＩＭ（加入者識別モジュール）カードやマイクロＳＤカード等のカードを携帯電話機やスマートフォン等の電子機器に搭載された回路基板に電気的に接続するためにカードコネクタが電子機器に搭載される。
従来のこの種のカードコネクタとして、例えば、特許文献１に示すものが知られている。
特許文献１に示すカードコネクタは、カードが載置されるカードトレイと、カードトレイが挿入及び引き出されるハウジングを有するコネクタ本体とを備えている。コネクタ本体のハウジングには、カードトレイがハウジングに挿入された際に、カードトレイに載置されたカードに接触する複数のコンタクトが取り付けられている。ここで、カードトレイは、カードのハウジングへの挿入及びハウジングからの引き出しを容易にするために用いられる。
【０００３】
そして、カードトレイは、カードが載置されるトレイ本体と、トレイ本体のトレイ挿入方向手前側端部に引き出し可能に取り付けられたスライド摘みとを備えている。また、カードトレイは、スライド摘みの所定の引き出し位置でスライド摘みに作用するトレイ引き出し方向の力をトレイ本体に伝達する伝達手段を備えている。これにより、所定の引き出し位置まで引き出したスライド摘みを摘まんでカードトレイをハウジングより引き出せるようにしている。
【先行技術文献】
【特許文献】
【０００４】
【特許文献１】特開２０１３−１７８８８９号公報
【発明の概要】
【発明が解決しようとする課題】
【０００５】
ところで、特許文献１に示すカードコネクタのコネクタ本体は、電子機器の内部に搭載される。そして、カードが載置されるカードトレイは、電子機器の外部から電子機器の筐体に形成された開口を介してコネクタ本体のハウジングに挿入される。
ここで、電子機器の内部におけるコネクタ本体の搭載位置と電子機器の筐体に形成された開口の位置とは予め定められた位置関係で設定される。
しかしながら、電子機器の内部におけるコネクタ本体の実際の搭載位置は、コネクタ本体が回路基板上に搭載される時等にずれてしまうことがある。コネクタ本体の実際の搭載位置が予め設定された搭載位置からずれると、コネクタ本体の搭載位置と筐体に形成された開口との位置関係が予め設定された位置関係からずれることになる。この場合に、カードトレイが電子機器の外部から電子機器の筐体に形成された開口を介してコネクタ本体のハウジングに挿入されると、カードトレイに設けられたスライド摘みが開口に引っかかってしまうことがある。カードトレイのスライド摘みは、電子機器の内部におけるコネクタ本体の搭載位置と電子機器の筐体に形成された開口の位置とが予め定められた正規の位置関係にあるときに当該開口を塞ぐ位置及び寸法に設計されているからである。
【０００６】
従って、本発明はこの従来の問題点を解決するためになされたものであり、その目的は、電子機器の内部におけるコネクタ本体の搭載位置と電子機器の筐体に形成された開口の位置とが予め定められた正規の位置関係からずれていたとしても、カードトレイに設けられた摘み部が当該開口に引っかかることなく、カードトレイをコネクタ本体に円滑に挿入することができるカードコネクタを提供することにある。
【課題を解決するための手段】
【０００７】
上記目的を達成するために、本発明の一態様に係るカードコネクタは、カードが載置されるカードトレイと、該カードトレイが挿入及び引き出されるハウジング及び該ハウジングに取り付けられたコンタクトを有するコネクタ本体とを備え、前記カードトレイは、前記カードが載置され、前記カードトレイの挿入方向を表す前方向及び前記カードトレイの引き出し方向を表す後方向、かつ前記前方向及び後方向に直交する左方向及び右方向に延びるトレイ本体と、該トレイ本体の後端に取り付けられ、前記トレイ本体の左方向及び右方向に延びる摘み部とを備え、前記摘み部の左右両側に、前記摘み部を前記コネクタ本体が搭載される電子機器の筐体に形成された開口に沿って案内するテーパ状のガイド部を設けたことを要旨とする。
【発明の効果】
【０００８】
本発明に係るカードコネクタによれば、摘み部の左右両側に、摘み部をコネクタ本体が搭載される電子機器の筐体に形成された開口に沿って案内するテーパ状のガイド部を設けた。このため、電子機器の内部におけるコネクタ本体の搭載位置と電子機器の筐体に形成された開口の位置とが予め定められた正規の位置関係からずれていたとしても、カードトレイをコネクタ本体のハウジングに挿入する際に、摘み部がガイド部によって前記開口に沿って案内される。これにより、摘み部が当該開口に引っかかることなく、カードトレイをコネクタ本体のハウジングに円滑に挿入することができる。
【図面の簡単な説明】
【０００９】
【図１】本発明の一実施形態に係るカードコネクタをカードトレイとコネクタ本体を分離して示す斜視図である。図１において、第１カード及び第２カードもともに示されている。
【図２】本発明の一実施形態に係るカードコネクタをカードトレイとコネクタ本体を分離して示す平面図である。図２において、第１カード及び第２カードもともに示されている。
【図３】図１及び図２に示すカードコネクタを構成するカードトレイの分解斜視図である。
【図４】図１及び図２に示すカードコネクタを構成するカードトレイの平面図であり、摘み部がトレイ本体に対し左方向に移動した状態を示している。
【図５】図１及び図２に示すカードコネクタを構成するカードトレイの平面図であり、摘み部がトレイ本体に対し右方向に移動した状態を示している。
【図６】カードトレイがコネクタ本体に挿入された途中の状態を示す斜視図である。但し、図６においては、シェル、第１カード及び第２カードが示されていない。
【図７】シェルを取り外した状態のコネクタ本体の斜視図である。
【図８】第１カード及び第２カードが載置されたカードトレイがコネクタ本体に挿入された途中の状態を示す斜視図である。但し、図８においては、シェルが示されていない。
【図９】第１カード及び第２カードが載置されたカードトレイが、電子機器の筐体内に搭載されたコネクタ本体に挿入された途中の状態を示す平面図である。但し、図９においては、シェルが示されていない。
【図１０】図９の右側面図である。但し、図１０においてはシェルが示されている。
【図１１】第１カード及び第２カードが載置されたカードトレイがコネクタ本体に完全に挿入された状態を示す斜視図である。但し、図１１においては、シェルが示されていない。
【図１２】第１カード及び第２カードが載置されたカードトレイが、電子機器の筐体内に搭載されたコネクタ本体に完全に挿入された状態を示す平面図である。但し、図１２においては、シェルが示されていない。
【図１３】図１２の右側面図である。但し、図１３においてはシェルが示されている。
【図１４】コネクタ本体が電子機器の筐体内で正規の位置から左方向に位置ずれして搭載された場合において、第１カード及び第２カードが載置されたカードトレイがコネクタ本体に挿入された途中の状態を示す平面図である。
【図１５】図１４に示す状態からカードトレイの挿入が進行し、左側のガイド部が筐体に形成された開口の左側角縁に当接した状態を示す平面図である。
【図１６】図１５に示す状態からカードトレイの挿入が進行し、摘み部が左側のガイド部の作用によって開口に案内されて右方向に移動した状態を示す平面図である。
【図１７】図１６に示す状態からカードトレイの挿入が進行し、摘み部が左側のガイド部の作用によって開口に案内されて右方向に移動した状態を示す平面図である。
【発明を実施するための形態】
【００１０】
以下、本発明の実施の形態を図面を参照して説明する。
図１及び図２に示すカードコネクタ１は、ナノＳＩＭ（加入者識別モジュール）カードやマイクロＳＤカード等のカードを携帯電話機やスマートフォン等の電子機器に搭載された回路基板に電気的に接続するものである。
ここで、カードコネクタ１は、図１及び図２に示すように、カードトレイ１０と、カードトレイ１０が挿入及び引き出されるコネクタ本体３０とを備えている。
カードトレイ１０には、ナノＳＩＭカードで構成される第１カードＣ１と、ナノＳＩＭカードで構成される第２カードＣ２と、マイクロＳＤカードで構成される第３カードＣ３（図２において一点鎖線で示す）とが載置可能となっている。カードトレイ１０には、第１カードＣ１のみが載置される場合、第２カードＣ２のみが載置される場合、第３カードのみが載置される場合、第１カードＣ１及び第２カードＣ２が載置される場合、第１カードＣ１及び第３カードＣ３が載置される場合とがある。
【００１１】
このカードトレイ１０は、図１乃至図５に示すように、トレイ本体１１と、摘み部１５とを備えている。
トレイ本体１１は、第１カードＣ１が載置可能な第１カード載置部１２と、第２カードＣ２又は第３カードＣ３が載置可能な第２及び第３カード載置部１３とを備え、金属製である。なお、トレイ本体１１は合成樹脂製であってもよい。トレイ本体１１は、カードトレイ１０の挿入方向を表す前方向、カードトレイ１０の引き出し方向を表す後方向、前方向及び後方向に直交する左方向及び右方向に延びる略矩形板状に形成されている。図１乃至図１７には、当該前方向が「前」、後方向が「後」、左方向が「左」、右方向が「右」、上方向が「上」、及び下方向が「下」として示されている。以下、左方向及び右方向を左右方向、前方向及び後方向を前後方向、上方向及び下方向を上下方向と総称して説明する。
【００１２】
トレイ本体１１の第１カード載置部１２は、図３乃至図５に示すように、第１カードＣ１を上方から受容する第１開口１２ａと、第１開口１２ａに受容された第１カードＣ１を載置する左段部１２ｂ及び右段部１２ｃとを備えている。また、第２及び第３カード載置部１３は、第２カードＣ２又は第３カードＣ３を上方から受容する第２開口１３ａと、第２開口１３ａに受容された第２カードＣ２又は第３カードＣ３を載置する左段部１３ｂ及び右段部１３ｃとを備えている。また、第２及び第３カード載置部１３の後端近傍には、摘み部取付部材２１の胴部２１ａが上下方向に挿通可能な左右方向に細長い一対の長穴貫通孔１４が上下方向に貫通するように形成されている。
【００１３】
また、摘み部１５は、トレイ本体１１の左右方向に細長く延び、トレイ本体１１の後端に左右方向に移動可能に摘み部取付部材２１により取り付けられる。摘み部１５は、トレイ本体１１の左右方向及び上下方向に延びる略矩形平板状の摘み板部１６と、摘み板部１６の前面から前方に突出するトレイ本体１１への取付部１７とを備えている。摘み部１５は、金属製であるが、合成樹脂製であってもよい。取付部１７は、摘み板部１６の前面から前方に延びる、互いの間にトレイ本体１１の第２及び第３カード載置部１３の後端を上下から挟み込み可能な上下一対の取付板部１７ａ，１７ｂからなる。
【００１４】
そして、各取付板部１７ａ，１７ｂは、左右方向及び前後方向に延びる略矩形平板状に形成され、各取付板部１７ａ，１７ｂの左右方向の幅は、第２及び第３カード載置部１３の左右方向の幅よりも大きい。各取付板部１７ａ，１７ｂの左端面は第２及び第３カード載置部１３の左側面から左方に突出し、各取付板部１７ａ，１７ｂの右端面は第２及び第３カード載置部１３の右側面から右方に突出している。
また、摘み板部１６は、上下一対の取付板部１７ａ，１７ｂに対し上下及び左右に突出し、カードトレイ１０の操作時に作業者が手で摘まむことが可能となっている。また、摘み板部１６には、図６に示すように、後述する押圧ピン（図示せず）が挿通可能なピン挿通用孔２０が前後方向に貫通するように形成されている。
【００１５】
ここで、摘み部１５の各取付板部１７ａ，１７ｂには、トレイ本体１１の一対の長穴貫通孔１４と対応する位置に、摘み部取付部材２１の胴部２１ａが上下方向に挿通可能な左右方向に細長い一対の長穴貫通孔１８ａが形成されている。そして、上側の取付板部１７ａに形成された各長穴貫通孔１８ａの上側周囲には、摘み部取付部材２１の平板部２１ｃが収容される環状の段差部１８ｂが形成される。また、下側の取付板部１７ｂに形成された各長穴貫通孔（図示せず）の下側周囲には、摘み部取付部材２１の頭部２１ｂが収容される環状の段差部（図示せず）が形成される。
【００１６】
また、摘み部取付部材２１は、胴部２１ａ及び頭部２１ｂを備えたリベットで構成されている。この摘み部取付部材２１は、摘み部１５の上下一対の取付板部１７ａ、１７ｂでトレイ本体１１の第２及び第３カード載置部１３の後端を上下から挟んだ状態で、胴部２１ａを下側の取付板部１７ｂの下方から取り付ける。この際に、胴部２１ａは、下側の取付板部１７ｂの長穴貫通孔、トレイ本体１１の長穴貫通孔１４及び上側の取付板部１７ａの長穴貫通孔１８ａの順に挿通され、胴部２１ａの上端をかしめる。これにより、胴部２１ａの上端に形成された平板部２１ｃと頭部２１ｂが下側の取付板部１７ｂ、トレイ本体１１の第２及び第３カード載置部１３の後端及び上側の取付板部１７ａを上下から挟み込む。この際に、摘み部取付部材２１の胴部２１ａが下側の取付板部１７ｂの長穴貫通孔、トレイ本体１１の長穴貫通孔１４及び上側の取付板部１７ａの長穴貫通孔１８ａに挿通されている。このため、摘み部１５は、図４及び図５に示すように、トレイ本体１１に対し左右方向に移動可能に取り付けられる。
そして、摘み部１５の取付部１７の左右両側には、摘み部１５をコネクタ本体３０が搭載される電子機器の筐体１００（図９参照）に形成された開口１０１に沿って案内する左右一対のテーパ状のガイド部１９が設けられている。
【００１７】
具体的には、左側のガイド部１９は、上側の取付板部１７ａの左縁及び前縁が交差する角部に当該角部を面取りするように切欠かれてなるテーパ状の第１ガイド部１９ａと、下側の取付板部１７ｂの同様の第２ガイド部１９ｂとを備えている。右側のガイド部１９は、上側の取付板部１７ａの右縁及び前縁が交差する角部に当該角部を面取りするように切欠かれてなるテーパ状の第１ガイド部１９ａと、下側の取付板部１７ｂの同様の第２ガイド部１９ｂとを備えている。これら上側の取付板部１７ａ及び下側の取付板部１７ｂに形成された第１ガイド部１９ａ及び第２ガイド部１９ｂの前縁に対する傾斜角は、約４５°程度である。この傾斜角は、３０°〜６０°とすることが好ましい。３０°未満であると、十分な誘い込みができず、テーパの効果により摘み部１５が左右に移動することが難しくなるという問題がある。一方、６０°よりも大きいと、摘み部１５の左右の移動量が小さくなり、コネクタ本体３０と筐体１００の開口１０１の許容できる位置ずれ量が小さくなるという問題がある。
なお、上側の取付板部１７ａの前縁には、図１０に示すように、後ろから前に向けて立ち下がるように傾斜する傾斜面１９ｃが形成されている。また、下側の取付板部１７ｂの前縁にも、後ろから前に向けて立ち上がるように傾斜する傾斜面１９ｃが形成されている。
【００１８】
次に、コネクタ本体３０は、図１、図２、図６及び図７に示すように、ハウジング４０と、複数の第１コンタクト５１、複数の第２コンタクト５２及び複数の第３コンタクト５３と、シェル６０と、イジェクト機構７０とを備えている。
ハウジング４０は、左右方向及び前後方向に延びる略矩形体であり、絶縁性の合成樹脂を成形することによって一体に形成される。ハウジング４０は、図７に示すように、略矩形板状の底板４２と、底板４２の左縁から立ち上がる左側壁４３と、
底板４２の右縁から立ち上がる右側壁４４と、底板４２の前縁から立ち上がる前壁４５とを備えている。また、底板４２の右側壁４４よりも左側には、右側壁４４との間で後述するイジェクト機構７０のプッシュバー７１を前後方向に移動可能に支持する支持壁４６が設けられている。そして、ハウジング４０には、図１及び図２に示すように、シェル６０がハウジング４０の上面を覆うように取り付けられ、このシェル６０と底板４２との間にトレイ挿入空間４１が形成される。トレイ挿入空間４１は、後方に開口し、この後方からカードトレイ１０が挿入及び引き出される。カードトレイ１０がトレイ挿入空間４１に挿入される際に、トレイ本体１１の左側面がハウジング４０の左側壁４３の内面に、トレイ本体１１の右側面がハウジング４０の支持壁４６の内面に案内される。これらハウジング４０の左側壁４３及び支持壁４６の案内機能は、カードトレイ１０がトレイ挿入空間４１から引き出される際にも発揮される。
【００１９】
また、複数（本実施形態にあっては６個）の第１コンタクト５１は、図７に示すように、ハウジング４０の底板４２の前方部に３列状にインサートモールドによって取り付けられる。各第１コンタクト５１は、図示しない回路基板に接続されるとともに、カードトレイ１０に載置された第１カードＣ１の図示しない導電パッドに接触する。各第１コンタクト５１は、導電性金属板を打抜き及び曲げ加工することによって形成される。
また、複数（本実施形態にあっては６個）の第２コンタクト５２は、図７に示すように、ハウジング４０の底板４２の後方部に３列状にインサートモールドによって取り付けられる。各第２コンタクト５２は、図示しない回路基板に接続されるとともに、カードトレイ１０に載置された第２カードＣ２の図示しない導電パッドに接触する。各第２コンタクト５２は、導電性金属板を打抜き及び曲げ加工することによって形成される。
更に、複数（本実施形態にあっては８個）の第３コンタクト５３は、図７に示すように、ハウジング４０の底板４２の前後中央部に１列状にインサートモールドによって取り付けられる。各第３コンタクト５３は、図示しない回路基板に接続されるとともに、カードトレイ１０に載置された第３カードＣ３の図示しない導電パッドに接触する。各第３コンタクト５３は、導電性金属板を打抜き及び曲げ加工することによって形成される。
【００２０】
次に、シェル６０は、図１及び図２に示すように、ハウジング４０の上面を覆う矩形平板状の頂板部６１と、頂板部６１の左縁から立ち下がる左側板部６２と、頂板部６１の右縁から立ち下がる右側板部６３と、頂板部６１の前縁から立ち下がる前板部６４とを備えている。シェル６０は、金属板を打抜き及び曲げ加工することによって形成される。シェル６０の左側板部６２がハウジング４０の左側壁４３の外側に係止され、右側板部６３がハウジング４０の右側壁４４の外側に係止され、前板部６４がハウジング４０の前壁４５の外側に係止される。
【００２１】
また、イジェクト機構７０は、トレイ挿入空間４１に挿入されたカードトレイ１０を引き出す際にカードトレイ１０を排出するものであり、プッシュバー７１及びイジェクトレバー７２を備えている。プッシュバー７１は、金属板を打抜き及び曲げ加工することによって形成された前後方向に細長く延びる平板部材である。このプッシュバー７１は、図７に示すように、平板部材の側縁を上下にした状態で、ハウジング４０の右側壁４４と支持壁４６の間に前後方向に移動可能に支持される。プッシュバー７１の後端には、折り曲げによって形成された押圧部７１ａが設けられている。また、イジェクトレバー７２は、金属板を打抜き及び曲げ加工することによって形成された左右方向に細長く延びる平板部材である。このイジェクトレバー７２は、ハウジング４０の底板４２の前端部近傍に設けられた支軸７３に回転可能に支持され、プッシュバー７１の前端がイジェクトレバー７２の右端を前方に押圧する。これにより、イジェクトレバー７２は支軸７３を中心に反時計回りに回転し、イジェクトレバー７２の左端がトレイ挿入空間４１に挿入されたカードトレイ１０の前端を後方に向けて押圧する。これにより、カードトレイ１０が後方に移動し、摘み部１５が筐体１００（図１２参照）から後方に突出する。
【００２２】
そして、このように構成されたコネクタ本体３０は、図９に示すように、電子機器の筐体１００の内部に搭載された回路基板（図示せず）上に実装される。
筐体１００には、図９及び図１０に示すように、カードトレイ１０をコネクタ本体３０に挿入するための開口１０１が形成されている。
この開口１０１は、筐体１００の内側（前側）から外側（後側）に向けて貫通するように形成され、最内側から第１開口部１０２、第２開口部１０３及び第３開口部１０４の順に形成される。
第１開口部１０２は、カードトレイ１０のトレイ本体１１の左右方向の幅よりも大きな左右方向の幅を有するともにトレイ本体１１の厚さよりもやや広い上下方向の高さを有する。これにより、トレイ本体１１が第１開口部１０２の外側から内側に向けて挿通可能となっている。
【００２３】
また、第２開口部１０３は、第１開口部１０２の左右方向の幅よりも大きな左右方向の幅を有するとともに第１開口部１０２の上下方向の高さよりも広い上下方向の高さを有する。これにより、摘み部１５の取付部１７が収容可能となっている。また、第２開口部１０３の上側の前縁には、図１０に示すように、第１開口部１０２に向けて傾斜する傾斜面１０３ａが形成され、第２開口部１０３の下側の前縁にも第１開口部１０２に向けて傾斜する傾斜面１０３ａが形成されている。
さらに、第３開口部１０４は、第２開口部１０３の左右方向の幅よりも大きな左右方向の幅を有するとともに第２開口部１０３の上下方向の高さよりも広い上下方向の高さを有する。これにより、摘み部１５の摘み板部１６が収容可能となっている。
【００２４】
次に、カードトレイ１０を電子機器の筐体１００の内部に配置されたコネクタ本体３０に挿入する方法及びコネクタ本体３０から引き出す方法について、図８乃至図１３を参照して説明する。
先ず、カードトレイ１０をコネクタ本体３０のトレイ挿入空間４１に挿入する前に、所望のカードをカードトレイ１０のトレイ本体１１に載置する。図８には、第１カードＣ１がトレイ本体１１の第１カード載置部１２に載置され、第２カードＣ２が第２及び第３カード載置部１３に載置された例が示されている。以下、第１カードＣ１及び第２カードＣ２をトレイ本体１１に載置した場合について説明する。
【００２５】
次に、第１カードＣ１及び第２カードＣ２をトレイ本体１１に載置したカードトレイ１０のトレイ本体１１を、図９及び図１０に示すように、筐体１００の外側から開口１０１を挿通してコネクタ本体３０のトレイ挿入空間４１内に挿入する。図８乃至図１０には、トレイ本体１１がコネクタ本体３０のトレイ挿入空間４１に挿入されてトレイ本体１１の前端がイジェクト機構７０のイジェクトレバー７２の左端に当接した挿入途中の状態が示されている。このトレイ本体１１の挿入に際しては、トレイ本体１１の左側面がハウジング４０の左側壁４３の内面に、トレイ本体１１の右側面がハウジング４０の支持壁４６の内面にそれぞれ案内される。
【００２６】
なお、トレイ本体１１の前端がイジェクト機構７０のイジェクトレバー７２の左端に当接した挿入途中の状態では、図９及び図１０に示すように、摘み部１５の取付部１７は、第２開口部１０３の手前側（後方）に位置する。
そして、トレイ本体１１の挿入を進行させると、図１１乃至図１３に示すように、カードトレイ１０の挿入が完了した状態となる。この状態では、第１カードＣ１の導電パッドが第１コンタクト５１に接触するとともに、第２カードＣ２の導電パッドが第２コンタクト５２に接触する。これにより、第１カードＣ１及び第２カードＣ２が回路基板に電気的に接続される。そして、図１２に示すように、トレイ本体１１の前端がイジェクト機構７０のイジェクトレバー７２の左端を前方に押圧し、イジェクトレバー７２が支軸７３を中心に時計回りに回転する。これにより、イジェクトレバー７２の右端がプッシュバー７１の前端を後方に押圧し、プッシュバー７１が後退して押圧部７１ａが筐体１００の内側近傍にまで後退する。
【００２７】
ここで、摘み部１５は、カードトレイ１０の挿入が完了した状態では、図１２及び図１３に示すように、その取付部１７が第２開口部１０３内に収容される。また、摘み板部１６が第３開口部１０４内に収容される。これにより、筐体１００に形成された開口１０１が摘み部１５によって閉塞され、摘み部１５の外面が筐体１００の外面と面一になる。
一方、カードトレイ１０をコネクタ本体３０から引き出すときには、図示しない押圧ピンを、筐体１００の外側から摘み板部１６に形成された図１１に示すピン挿通用孔２０を挿通してプッシュバー７１の後端を前方に向けて押圧する。これにより、プッシュバー７１が前方に移動し、プッシュバー７１の前端がイジェクトレバー７２の右端を前方に押圧する。これにより、イジェクトレバー７２は支軸７３を中心に反時計回りに回転し、イジェクトレバー７２の左端がトレイ挿入空間４１に挿入されたトレイ本体１１の前端を後方に向けて押圧する。これにより、カードトレイ１０が後方に移動し、図９に示すと同様に、摘み部１５が筐体１００から後方に突出する。そして、摘み部１５を摘まんでカードトレイ１０を引き出すことができる。
【００２８】
次に、コネクタ本体３０が電子機器の筐体１００内で正規の位置から左方向に位置ずれして回路基板上に搭載された場合のガイド部１９の作用について、図１４乃至図１７を参照して説明する。
この場合、第１カードＣ１及び第２カードＣ２をトレイ本体１１に載置したカードトレイ１０のトレイ本体１１を、図１４に示すように、筐体１００の外側から開口１０１を挿通してコネクタ本体３０のトレイ挿入空間４１内に挿入する。ここで、コネクタ本体３０が筐体１００内で正規の位置から左方向に位置ずれしている。このため、トレイ挿入空間４１内に挿入されるトレイ本体１１の位置及び摘み部１５の位置も正規の位置から左方向に位置ずれした状態にある。
【００２９】
このため、図１４に示す状態から図１５に示すようにトレイ本体１１の挿入を進行させると、摘み部１５に設けられた左側のガイド部１９（図１５には上側の取付板部１７ａに形成された第１ガイド部１９ａのみ図示）が第２開口部１０３の左側後端の角縁１０３ｂに当接する。
そして、この状態から図１６に示すようにトレイ本体１１の挿入を進行させると、左側のガイド部１９の作用によって摘み部１５が第２開口部１０３に沿ってトレイ本体１１に対して右方向に移動する。これは、左側のガイド部１９がテーパ状に形成されているからである。
【００３０】
そして、図１６に示す状態から図１７に示すようにトレイ本体１１の挿入を更に進行させると、摘み部１５の取付部１７の左側縁が第２開口部１０３の左側面に沿いつつ前進し、カードトレイ１０の挿入が完了した状態となる。この状態では、取付部１７が第２開口部１０３内に収容される。また、摘み板部１６が第３開口部１０４内に収容される。これにより、筐体１００に形成された開口１０１が摘み部１５によって閉塞される。
一方、コネクタ本体３０が電子機器の筐体１００内で正規の位置から右方向に位置ずれして回路基板上に搭載された場合の説明をする。この場合、図示はしないが、第１カードＣ１及び第２カードＣ２を載置したトレイ本体１１を筐体１００の外側から開口１０１を挿通してコネクタ本体３０のトレイ挿入空間４１内に挿入する。ここで、コネクタ本体３０が筐体１００内で正規の位置から右方向に位置ずれしているので、トレイ挿入空間４１内に挿入されるトレイ本体１１の位置及び摘み部１５の位置も正規の位置から右方向に位置ずれした状態にある。
【００３１】
このため、トレイ本体１１の挿入を進行させると、摘み部１５に設けられた右側のガイド部１９が第２開口部１０３の右側後端の角縁１０３ｂに当接する。
そして、この状態からトレイ本体１１の挿入を進行させると、右側のガイド部１９の作用によって摘み部１５が第２開口部１０３に沿ってトレイ本体１１に対して左方向に移動する。これは、右側のガイド部１９がテーパ状に形成されているからである。
そして、トレイ本体１１の挿入を更に進行させると、摘み部１５の取付部１７の右側縁が第２開口部１０３の右側面に沿いつつ前進し、カードトレイ１０の挿入が完了した状態となる。この状態では、取付部１７が第２開口部１０３内に収容される。また、摘み板部１６が第３開口部１０４内に収容される。これにより、筐体１００に形成された開口１０１が摘み部１５によって閉塞される。
【００３２】
従って、本実施形態に係るカードコネクタ１によれば、摘み部１５の取付部１７の左右両側に、摘み部１５をコネクタ本体３０が搭載される電子機器の筐体１００に形成された開口１０１に沿って案内するテーパ状のガイド部１９を設けた。このため、電子機器の内部におけるコネクタ本体３０の搭載位置と電子機器の筐体１００に形成された開口１０１の位置とが予め定められた正規の位置関係からずれていたとしても、カードトレイ１０をコネクタ本体３０のハウジング４０に挿入する際に、摘み部１５がガイド部１９によって開口１０１に沿って案内される。これにより、摘み部１５が当該開口１０１に引っかかることなく、カードトレイ１０をコネクタ本体３０のハウジング４０に円滑に挿入することができる。
【００３３】
また、摘み部１５は、トレイ本体１１に対して左方向及び右方向に移動可能である。このため、電子機器の内部におけるコネクタ本体３０の搭載位置が電子機器の筐体１００に形成された開口１０１の位置に対して正規の位置関係から左右方向にずれていたとしても、ガイド部１９の作用によって摘み部１５がトレイ本体１１に対して左方向及び右方向に移動する。このため、摘み部１５が当該開口１０１に引っかかることなく、カードトレイ１０をコネクタ本体３０のハウジング４０により円滑に挿入することができる。
なお、コネクタ本体３０の搭載位置が筐体１００の開口１０１の位置に対して正規の位置関係から上方向にずれている場合、上側の取付板部１７ａに形成された傾斜面１９ｃの作用により取付部１７が第２開口部１０３に円滑に案内される。また、その逆に、コネクタ本体３０の搭載位置が筐体１００の開口１０１の位置に対して正規の位置関係から下方向にずれている場合、下側の取付板部１７ｂに形成された傾斜面１９ｃの作用により取付部１７が第２開口部１０３に円滑に案内される。
【００３４】
以上、本発明の実施形態について説明してきたが、本発明はこれに限定されずに種々の変更、改良を行うことができる。
例えば、ガイド部１９は、摘み部１５の左右両側に、摘み部１５をコネクタ本体３０が搭載される電子機器の筐体１００に形成された開口１０１に沿って案内するテーパ状に形成されればよく、図示した例に限らない。
【符号の説明】
【００３５】
１  カードコネクタ
１０  カードトレイ
１１  トレイ本体
１５  摘み部
１９  ガイド部
３０  コネクタ本体
４０  ハウジング
５１  第１コンタクト（コンタクト）
５２  第２コンタクト（コンタクト）
５３  第３コンタクト（コンタクト）
１００  筐体
１０１  開口
Ｃ１  第１カード（カード）
Ｃ２  第２カード（カード）
Ｃ３  第３カード（カード）
【図１】
2017199467.tif 000003
【図２】
2017199467.tif 000004
【図３】
2017199467.tif 000005
【図４】
2017199467.tif 000006
【図５】
2017199467.tif 000007
【図６】
2017199467.tif 000008
【図７】
2017199467.tif 000009
【図８】
2017199467.tif 000010
【図９】
2017199467.tif 000011
【図１０】
2017199467.tif 000012
【図１１】
2017199467.tif 000013
【図１２】
2017199467.tif 000014
【図１３】
2017199467.tif 000015
【図１４】
2017199467.tif 000016
【図１５】
2017199467.tif 000017
【図１６】
2017199467.tif 000018
【図１７】
2017199467.tif 000019